(57)【要約】【課題】発信元の電話機と着信先の携帯電話機を安価に接続することができる発信代行装置及び発信代行方法を提供する。【解決手段】発信元の固定電話機１０から、発信代行装置の処理装置４０に送信された着信先の携帯電話機８０の種類を判別し、着信先の携帯電話機８０と同一種類の携帯電話会社の発信代行携帯電話機４３ｂを用いて着信先の携帯電話機８０を呼び出して着信先の携帯電話機８０が着信状態になったら、着信先の携帯電話機８０と発信元の固定電話機１０とを接続する。【選択図】　　　　図１
2004032435.tif 000002
【特許請求の範囲】
【請求項１】
発信代行携帯電話機が設けられた処理装置を備え、処理装置は、発信代行携帯電話機を介して発信元の電話機と着信先の携帯電話機とを接続する発信代行装置であって、
処理装置は、着信先の携帯電話機の携帯電話会社の種類を判別し、着信先の携帯電話機と同一種類の携帯電話会社の発信代行携帯電話機から着信先の携帯電話機に呼出信号を送信する、
発信代行装置。
【請求項２】
請求項１に記載の発信代行装置であって、
処理装置は、複数種類の携帯電話会社の発信代行携帯電話機と、発信代行携帯電話機を選択する選択手段とを備え、選択手段は、着信先の携帯電話機の携帯電話会社の種類を判別し、着信先の携帯電話機と同一種類の携帯電話会社の発信代行携帯電話機から着信先の携帯電話機に呼出信号を送信する、
発信代行装置。
【請求項３】
発信元の電話機から着信先の携帯電話機への発信を発信代行装置を用いて代行する発信代行方法であって、
発信元の電話機から、発信代行装置の処理装置に送信された着信先の携帯電話機の種類を判別し、
着信先の携帯電話機と同一種類の携帯電話会社の発信代行携帯電話機を用いて着信先の携帯電話機を呼び出して着信先の携帯電話機が着信状態になったら、着信先の携帯電話機と発信元の電話機とを接続する、
発信代行方法。
【請求項４】
請求項３に記載の発信代行方法であって、
発信元の電話機から、発信代行装置の処理装置に送信された着信先の携帯電話機の種類を判別したら、処理装置に設けられた複数種類の携帯電話会社の発信代行携帯電話機から着信先の携帯電話機と同一種類の携帯電話会社の発信代行携帯電話機を選択して、選択した発信代行携帯電話機を用いて着信先の携帯電話機を呼び出すことを特徴とする、
発信代行方法。
【発明の詳細な説明】
【０００１】
【発明の属する技術分野】
本発明は、発信元の電話機から着信先の電話機への発信を代行する発信代行装置及び発信代行方法に関する。
【０００２】
【従来の技術】
一般的に、固定電話機から携帯電話機に電話をかける際の電話料金は、携帯電話機から携帯電話機に電話をかける際の電話料金よりも割高になっている。そこで、図３に示すように、固定電話機１０から携帯電話機８０に発信する場合、固定電話機１０を電話回線網１３０を介して処理装置１４０の発信代行携帯電話機に接続し、発信代行携帯電話機を介して着信先の携帯電話機８０に呼出信号を送信する発信代行装置が知られている。
この発信代行装置を用いれば、固定電話機１０のユーザーが支払う料金は、電話回線網１３０の使用料金と、発信代行装置を管理する発信代行サービス会社に支払う手数料である。発信代行装置は、発信代行携帯電話機を用いて着信先の携帯電話機８０に呼出信号を送信するため、処理装置１４０と発信元の固定電話機１０とが同一市内局番地域に存在するのであれば、電話回線網１３０の使用料金、すなわち固定電話機１０と発信代行装置間の通信料金を含めても、固定電話機１０の携帯電話機８０との通話料金は、発信代行装置を介して携帯電話機に発信する場合の方が料金が安い。
【０００３】
【発明が解決しようとする課題】
従来の発信代行装置では、着信先の携帯電話機８０への呼出要求があると、処理装置１４０が、通信可能な（例えば、通話中ではない。）発信代行携帯電話機を適宜選択して、選択した発信代行携帯電話機から着信先の携帯電話機８０に呼出信号を送信している。
一般的に、携帯電話機から携帯電話機に電話をかける際に、発信元の携帯電話機と、同じキャリアの携帯電話機に電話をかける方が、違うキャリアの携帯電話機に電話をかけるよりも料金が割安である。しかしながら、従来の発信代行装置では、着信先の携帯電話機８０のキャリアを判別して発信代行携帯電話機を選択していることはなく、結果的に発信代行ためのコストが高くなっていた。
そこで、本発明は、発信元の電話機と着信先の電話機を安価に接続することができる発信代行装置及び方法を提供することを目的とする。
【０００４】
【課題を解決するための手段】
前記課題を達成するための請求項１に記載の発信代行装置は、発信代行携帯電話機が設けられた処理装置を備え、処理装置は、発信代行携帯電話機を介して発信元の電話機と着信先の携帯電話機とを接続する発信代行装置であって、処理装置は、着信先の携帯電話機の携帯電話会社の種類を判別し、着信先の携帯電話機と同一種類の携帯電話会社の発信代行携帯電話機から着信先の携帯電話機に呼出信号を送信する発信代行装置である。
請求項１に記載の発信代行装置によれば、発信元の電話機と着信先の電話機を安価に接続することができる。
【０００５】
また、請求項２に記載の発信代行装置は、請求項１に記載の発信代行装置であって、処理装置は、複数種類の携帯電話会社の発信代行携帯電話機と、発信代行携帯電話機を選択する選択手段とを備え、選択手段は、着信先の携帯電話機の携帯電話会社の種類を判別し、着信先の携帯電話機と同一種類の携帯電話会社の発信代行携帯電話機から着信先の携帯電話機に呼出信号を送信する発信代行装置である。
請求項２に記載の発信代行装置によれば、発信代行装置の制御が容易である。
【０００６】
また、請求項３に記載の発信代行装置は、発信元の電話機から着信先の携帯電話機への発信を発信代行装置を用いて代行する発信代行方法であって、発信元の電話機から、発信代行装置の処理装置に送信された着信先の携帯電話機の種類を判別し、着信先の携帯電話機と同一種類の携帯電話会社の発信代行携帯電話機を用いて着信先の携帯電話機を呼び出して着信先の携帯電話機が着信状態になったら、着信先の携帯電話機と発信元の電話機とを接続する発信代行方法である。
請求項３に記載の発信代行方法によれば、発信元の電話機と着信先の電話機を安価に接続することができる。
【０００７】
また、請求項４に記載の発信代行方法は、請求項３に記載の発信代行方法であって、発信元の電話機から、発信代行装置の処理装置に送信された着信先の携帯電話機の種類を判別したら、処理装置に設けられた複数種類の携帯電話会社の発信代行携帯電話機から着信先の携帯電話機と同一種類の携帯電話会社の発信代行携帯電話機を選択して、選択した発信代行携帯電話機を用いて着信先の携帯電話機を呼び出すことを特徴とする発信代行方法である。
請求項４に記載の発信代行方法によれば、発信代行装置の制御が容易である。
【０００８】
【発明の実施の形態】
以下に本発明の実施の形態を図面を用いて説明する。図１は、発信元インターフェース（端末装置）２０と、処理装置４０を有する発信代行装置の一実施の形態の概略図を示している。
発信元の固定電話機１０（電話番号；０５２−９８７−６５４３）には、電話回線網３０とのインターフェースである発信元インターフェース２０が接続されている。
発信元インターフェース２０は、電話回線網３０に接続されている。
また、処理装置４０も電話回線網３０に接続されている。
処理装置４０には、受信用固定電話機４１（０１２０−１２３４５６）や、電話回線網３０との情報の授受を行うインターフェース（図示していない）、処理装置４０の内部の動作を制御するＣＰＵ（図示していない）等を有する発信代行手段４２や、着信先の携帯電話機８０に発信するための複数の発信代行携帯電話機４３ａ〜４３ｊが設けられている。また、発信代行携帯電話機４３ａ〜４３ｊを選択する選択手段４４が設けられている。例えば、選択手段で選択された発信代行携帯電話機４３ｂ（携帯電話会社（キャリア）；Ａ社）は、発信代行手段４２の制御に基づいて、発信元の固定電話機１０から着信先の携帯電話機８０（キャリアＡ社）への発信を代行する。
図１では、発信元の固定電話機１０が１台しか記載されていないが、発信元の固定電話機１０は適宜の台数設けることができる。すなわち、処理装置４０は、適宜の台数の固定電話機の発信代行を行うことができる。
また、図１では、受信用の固定電話機４１は１台しか記載されていないが、複数設けられていてもよい。
【０００９】
次に、発信代行装置の動作について説明する。
例えば、固定電話機１０に設けられているダイヤルキーを用いて着信先の携帯電話機８０の電話番号（０９０−１２３４−５６７８）が入力されると、発信元の固定電話機１０は、着信先の携帯電話機８０の電話番号（０９０−１２３４−５６７８）を発信元インターフェース（端末装置）２０に送信する（図１の（１））。
発信元インターフェース２０は、携帯電話機への発信であること（例えば、電話番号の先頭３桁が「０９０」であること）を判別すると、電話回線網３０を介して最寄りの発信代行会社の処理装置４０に呼出信号を送信する（図１の（２））。呼出信号には、処理装置４０の受信用固定電話機４１の電話番号（０１２０−１２３４５６）が含まれている。
【００１０】
処理装置４０の受信用固定電話機４１が、発信元インターフェース２０から電話回線網３０を介して呼出信号を受信すると、処理装置４０の発信代行手段４２は、呼出信号に応答して発信元インターフェース２０と接続する。そして、発信元インターフェース２０に着信先の携帯電話機８０の電話番号の送信要求信号を送信する（図１の（３））。発信元インターフェース２０は、着信先の携帯電話機８０の送信要求信号を受信すると、着信先の携帯電話機８０の電話番号（０９０−１２３４−５６７８）を送信する（図１の（４））。
発信代行手段４２は、受信用固定電話機４１を介して着信先の携帯電話機８０の電話番号（０９０−１２３４−５６７８）を受信したら（図１の（５））、選択手段４４に送信する（図１の（６））。
なお、発信元の固定電話機１０の電話番号（例えば、０５２−９８７−６５４３）と、着信先の携帯電話機８０の電話番号（例えば、０９０−１２３４−５６７８）は、発信代行会社の処理装置４０の呼出信号に含ませて送信してもよい。
【００１１】
選択手段４４では、着信先の携帯電話機８０の電話番号（０９０−１２３４−５６７８）を受信したら図２に示すような手順で発信代行携帯電話機４３ａ〜４３ｊの中から今回使用する発信代行携帯電話機を選択する。
一般的に、携帯電話機では、電話番号から当該携帯電話機のキャリアがどこの会社であるかを判別することができる。
例えば、本実施の形態では、図２に示すように、０９０−ｘｘｘｘ−ｘｘｘｘ（ｘは、０〜９の任意の数）という１１ケタの携帯電話機の電話番号の、先頭から２つめの“９”をコードＡ、次の“０”をコードＢとし、末尾まで、コードＣ、コードＤ、コードＥ、コードＦ、−、コードＧ、コードＨ、コードＪ、コードＫとする。携帯電話機のキャリアを示すコードは、［コードＣ、コードＤ、コードＥ］である。
［コードＣ、コードＤ、コードＥ］が［１、２、ｘ］もしくは［２、ｘ、ｘ］であればキャリアはＡ社、［３、８、ｘ］もしくは［４、３、ｘ］もしくは［５、１、ｘ］であればキャリアはＢ社、［１、０、ｘ］もしくは［６、５、ｘ］もしくは［７、２、ｘ］であればキャリアはＣ社であると判別する。
今回の着信先の携帯電話機８０の電話番号は、“０９０−１２３４−５６７８”なので、［コードＣ、コードＤ、コードＥ］は、［１、２、３］である。これは、［１、２、ｘ］に該当するので、着信先の携帯電話機８０のキャリアはＡ社であることが判別される。
【００１２】
そこで、選択手段４４は、発信代行携帯電話機４３ａ〜４３ｊの中から、Ａ社の携帯電話機を選択し、発信代行携帯電話機４３ｂが選択される。
選択手段４４は、発信代行携帯電話機４３ｂに着信先の携帯電話機８０の電話番号（０９０−１２３４−５６７８）を送信する（図１の（７））。発信代行携帯電話機４３ｂは、着信先の携帯電話機８０の電話番号を受信すると、着信先の携帯電話機８０に呼出信号を送信する（図１の（８））。
これらの処理は、処理装置４０に設定されたプログラムによって行われる。
ここで、Ａ社の発信代行携帯電話機が複数ある場合には、それぞれに優先順位が決められていて、その順番に基づいて選択される。
【００１３】
着信先の携帯電話機８０は、呼出信号を受信すると、例えば、着信音で携帯電話機８０のユーザーに着信を報知する。携帯電話機８０のユーザーが、例えば、携帯電話機８０の通話キー（図示していない）を操作すると、発信代行携帯電話機４３ｂ、受信用固定電話機４１を介して着信先の携帯電話機８０と発信元の固定電話機１０を接続し通話可能状態とする。
このようにして、発信元の固定電話機１０のユーザーは、発信元インターフェース２０、電話回線網３０、処理装置４０を介して、着信先の携帯電話機８０のユーザーと通話することができる。
処理装置４０では、所定の課金処理を行い、発信代行会社は、例えば、所定の時間毎に発信元の固定電話機１０のユーザーに手数料の請求書を発行する。
【００１４】
また、着信先の携帯電話機が、図１に示す携帯電話機８１である場合、電話番号は、“０９０−６５４３−２１００”なので、［コードＣ、コードＤ、コードＥ］は、［６、５、４］である。これは、［６、５、ｘ］に該当するので、着信先の携帯電話機８１のキャリアはＣ社であることが判別される。そこで、選択手段４４は、発信代行携帯電話機４３ａ〜４３ｊの中から、Ｃ社の携帯電話機を選択し、発信代行携帯電話機４３ｄが選択される。
選択手段４４は、発信代行携帯電話機４３ｄに着信先の携帯電話機８０の電話番号（０９０−６５４３−２１００）を送信する。発信代行携帯電話機４３ｄは、着信先の携帯電話機８１の電話番号を受信すると、着信先の携帯電話機８１に呼出信号を送信する。
【００１５】
また、着信先の携帯電話機が、図１に示す携帯電話機８２である場合、電話番号は、“０９０−４３２１−１２３４”なので、［コードＣ、コードＤ、コードＥ］は、［４、３、２］である。これは、［４、３、ｘ］に該当するので、着信先の携帯電話機８１のキャリアはＢ社であることが判別される。そこで、選択手段４４は、発信代行携帯電話機４３ａ〜４３ｊの中から、Ｂ社の携帯電話機を選択し、発信代行携帯電話機４３ｃが選択される。
選択手段４４は、発信代行携帯電話機４３ｃに着信先の携帯電話機８２の電話番号（０９０−４３２１−１２３４）を送信する。発信代行携帯電話機４３ｃは、着信先の携帯電話機８２の電話番号を受信すると、着信先の携帯電話機８２に呼出信号を送信する。
【００１６】
本発明の構成及び動作は、本実施の形態に限定されるものではない。
また、発信元インターフェースから受信用固定電話機４１に、発信元の固定電話機１０の電話番号を送信するかわりに発信元のＩＤ番号を送信してもよい。また、両方を送信してもよい。
また、発信元の固定電話機１０のユーザーが携帯電話機に電話をかけたことを、判別する方法は、種々の方法が考えられる。
また、発信元の電話機は、固定電話機でなくてもよい。また、着信先の電話機は、携帯電話機でなくてもよい。
また、処理装置４０と発信元インターフェース２０との間のデータ等の授受は、アナログの電話回線網３０によるものでなくてもよい。例えば、ＩＳＤＮ回線網によるものでもよいし、ＡＤＳＬ、光ファイバなどのＩＰ網によるものでもよい。
また、本実施の形態では、処理装置４０に受信用固定電話機４１を設けて、電話回線網３０を介して発信元インターフェース２０とデータの送受信を行ったが、発信元インターフェース２０とデータの送受信を行うのは、電話機ではなくてもよい。
また、発信元インターフェース２０で指定した処理装置４０が、発信代行動作が不可能な時（例えば、処理装置４０の発信代行携帯電話機が全て使用中である時）には、電話回線網３０に接続されている他の処理装置にデータを送信して代替させてもよい。また、他の処理装置に発信代行動作を代替させるのは、処理装置４０が発信代行動作が不可能な時でなくてもよい。例えば、処理装置４０には、Ａ社の発信代行携帯電話機のみが設けられ、選択手段４４で、着信先の携帯電話機のキャリアがＢ社であることを判別したら、Ｂ社の発信代行携帯電話機のみが設けられている他の処理装置にデータを送信して代替させるようにしてもよい。また、このように、着信先の携帯電話機の種類に基づいて複数の処理装置から発信代行をする処理装置を選択して管理する管理装置があってもよい。
また、処理装置４０の制御では、例えば、着信先の携帯電話機のキャリアがＡ社である場合識別番号１、キャリアがＢ社である場合識別番号２、キャリアがＣ社である場合識別番号３と割り振られている。これにより、例えば、識別番号１に対応するキャリアをＤ社に変更することが容易にできる。また、キャリアに対応する［コードＣ、コードＤ、コードＥ］も容易に変更可能な構成となっている。
また、着信先が携帯電話機ではあるが、キャリアが判別不可能な時には、任意の発信代行携帯電話機から発信可能であることが望ましい。
また、本明細書で使用している「携帯電話機」は、無線電話機、移動電話機、ＰＨＳ機、セルラ電話機等、あらゆる無線通信式の通信端末機器でもよい。すなわち、当該通信端末機器が携帯や移動に向く機器であるか否かは、本発明の要旨とは関係ない。
【００１７】
【発明の効果】
以上説明したように、請求項１に記載の発信代行装置によれば、発信元の電話機と着信先の電話機を安価に接続することができる。
また、請求項２に記載の発信代行装置によれば、発信代行装置の制御が容易である。
また、請求項３に記載の発信代行方法によれば、発信元の電話機と着信先の電話機を安価に接続することができる。
また、請求項４に記載の発信代行方法によれば、発信代行装置の制御が容易である。
【図面の簡単な説明】
【図１】本発明の発信代行装置の一実施の形態の概略図である。
【図２】着信先の携帯電話機のキャリアを判別する方法を説明する図である。
【図３】従来技術を示す概略図である。
【符号の説明】
１０　　　　　　　固定電話機
２０　　　　　　　発信元インターフェース（端末装置）
３０　　　　　　　電話回線網
４０　　　　　　　処理装置
４３ａ〜４３ｊ　　発信代行携帯電話機
４４　　　　　　　選択手段
８０、８１、８２　着信先の携帯電話機
【図１】
2004032435.tif 000003
【図２】
2004032435.tif 000004
【図３】
2004032435.tif 000005